(57)【要約】【課題】  表示器の搭載構成に工夫を凝らして、表示用スペースを有効に利用でき且つ車両への搭載性に優れる車両用表示装置を提供する。【解決手段】  速度計ＡとタコメータＣとの間のスペースに、速度計ＡおよびタコメータＣと干渉しないような小型の液晶パネル９を配置し、その表示画面９１を拡大して、表示画面９１の外縁よりも内側部分を見返し板１２の窓部１２ａを介して視認可能なように構成した。これにより、表示用スペースを有効に利用することのできるコンビネーションメータ１を実現することができる。さらに、表示用スペースの利用効率を高めることによりコンビネーションメータ１の体格を小型化できるので、自動車への搭載性に優れるコンビネーションメータ１を提供することができる。【選択図】        図４
2006003273.tif 000002
【特許請求の範囲】
【請求項１】
開口窓を有する化粧板と、
指針計器と、
前記化粧板の背後に前記開口窓に臨んで配置されて所定の情報をその表示領域に表示する表示器と、
前記表示器の前面側に配置される光学的拡大手段とを備え、
前記表示器は前記開口窓および前記光学的拡大手段を介して視認される車両用表示装置であって、
前記開口窓の形状は、視認者から見て前記表示領域の外縁よりも内側部分が視認されるように設定されることを特徴とする車両用表示装置。
【請求項２】
開口窓を有する化粧板と、
指針計器と、
前記化粧板の背後に前記開口窓に臨んで配置されて所定の情報をその表示領域に表示する表示器と、
前記表示器の前面側に配置される光学的拡大手段と、
前記表示器と前記光学的拡大手段との間に配置され前記表示器の前記表示領域の外縁よりも内側部分を露出させる開口部を有する縁板とを備え、
前記表示器は前記開口窓および前記光学的拡大手段を介して視認される車両用表示装置であって、
前記開口窓の形状は、視認者から見て前記表示領域の前記縁板の開口部よりも内側部分が視認されるように設定されることを特徴とする車両用表示装置。
【請求項３】
前記表示器は前記指針計器の外側に配置されることを特徴とする請求項１または請求項２に記載の車両用表示装置。
【請求項４】
前記表示器は前記指針計器の内側且つ前記指針計器が備える指針の回転範囲外に配置されることを特徴とする請求項１または請求項２に記載の車両用表示装置。
【請求項５】
前記表示器は液晶表示器であることを特徴とする請求項１ないし請求項４のいずれかに記載の車両用表示装置。
【発明の詳細な説明】
【技術分野】
【０００１】
本発明は、車両の運転席に設置され、乗員に対して各種情報を表示す車両用表示装置に関するものであり、自動車等に用いて好適である。
【背景技術】
【０００２】
近年、たとえば自動車等に搭載される車両用表示装置において、そこで表示される情報の個数が増加している。また、これらの情報の表示手段も多様化し、一般的な指針計器によるのみならず、数字、文字あるいは図形を画面上に表示する表示器を併用されるようになっている。
【０００３】
たとえば、並列配置された２個の指針計器の間に数字、文字あるいは図形を画面上に表示する表示器を配置したものがある（特許文献１参照）。
【０００４】
この場合、表示器としては、たとえば蛍光表示管あるいは液晶表示器が用いられ、通常の指針計器と数字、文字あるいは図形を画面上に表示する表示器を併用して良好な視認性が得られる斬新な見映えの車両用表示装置の実現を図っている。
【特許文献１】特許第２６８５０６３号公報
【発明の開示】
【発明が解決しようとする課題】
【０００５】
ところで、自動車において車両用表示装置が設置される部位であるダッシュボード部には、車両用表示装置のほかにも、たとえば車室内空調装置やエアバッグ等が搭載されている。
【０００６】
近年は、これら機器や装置の種類が増加する傾向にあり、ダッシュボード部に各種機器や装置を収納するために、車両用表示装置に対しても小型化の強い要求がある。
【０００７】
上述した、従来の車両用表示装置においては、表示器として、たとえば蛍光表示管あるいは液晶表示器等が用いられている。蛍光表示管および液晶表示器は、情報を表示する表示画面の周囲に多数の電極が配置されている。これにより、蛍光表示管および液晶表示器の平面形状は、その表示画面よりも大きくなっている。
【０００８】
その結果、車両用表示装置において表示器を指針計器と並べて配置する場合、指針計器と表示器をできるだけ近接させて配置しても、上述した表示器の電極のためのスペースにより、車両用表示装置の表示面において、指針計器の表示意匠（目盛や数字等）と表示器の表示画面との間には所定のスペースが生じてしまい、車両用表示装置の表示用スペースを有効に利用することが困難となる。
【０００９】
本発明は、上記の問題点に鑑みなされたもので、表示器の搭載構成に工夫を凝らして、表示用スペースを有効に利用でき且つ車両への搭載性に優れる車両用表示装置を提供することを目的とする。
【課題を解決するための手段】
【００１０】
本発明は上記目的を達成する為、以下の技術的手段を採用する。
【００１１】
本発明の請求項１に記載の車両用表示装置は、開口窓を有する化粧板と、指針計器と、化粧板の背後に開口窓に臨んで配置されて所定の情報をその表示領域に表示する表示器と、表示器の前面側に配置される光学的拡大手段とを備え、表示器は開口窓および光学的拡大手段を介して視認される車両用表示装置であって、開口窓の形状は、視認者から見て表示領域の外縁よりも内側部分が視認されるように設定される構成としている。
【００１２】
本発明の請求項１に記載の車両用表示装置において、光学的拡大手段としては、たとえば凸レンズまたはフレネルレンズ等が使用可能である。
【００１３】
運転者等の乗員がこの車両用表示装置を見る際には、表示器は、化粧板の開口窓を通して光学的拡大手段、たとえば凸レンズ等の向こう側に、表示器の実体よりも大きく拡大された虚像として視認される。このとき、乗員に視認される表示領域の範囲は、表示領域の外縁よりも内側部分となっている。すなわち、表示器の表示領域の外側に配置されている電極等は一切視認されない。
【００１４】
このような構成とすることにより、乗員に視認される表示領域の大きさを、表示器の実際の平面形状とほぼ等しくすることができる。したがって、車両用表示装置において、表示器を他の表示手段、たとえば指針計器と隣接して配置したときに、指針計器の表示意匠（目盛や数字等）と表示器の表示領域、すなわち化粧板の開口窓とを十分接近させることができるので、表示用スペースを有効に利用でき且つ車両への搭載性に優れる車両用表示装置を実現することができる。
【００１５】
本発明の請求項２に記載の車両用表示装置は、開口窓を有する化粧板と、指針計器と、化粧板の背後に開口窓に臨んで配置されて所定の情報をその表示領域に表示する表示器と、表示器の前面側に配置される光学的拡大手段と、表示器と光学的拡大手段との間に配置され表示器の表示領域の外縁よりも内側部分を露出させる開口部を有する縁板とを備え、表示器は開口窓および光学的拡大手段を介して視認される車両用表示装置であって、開口窓の形状は、視認者から見て表示領域の縁板の開口部よりも内側部分が視認されるように設定される構成としている。
【００１６】
本発明の請求項２に記載の車両用表示装置において、光学的拡大手段としては、たとえば凸レンズまたはフレネルレンズ等が使用可能である。
【００１７】
運転者等の乗員がこの車両用表示装置を見る際には、表示器は、化粧板の開口窓を通して光学的拡大手段、たとえば凸レンズ等の向こう側に、表示器の実体よりも大きく拡大された虚像として視認される。このとき、乗員が視認する表示領域の範囲は、表示領域の外縁よりも内側且つ縁板の開口部よりも内側の部分が視認される。すなわち、運転者が、普通の運転姿勢をとっている場合は、表示器と光学的拡大手段との間に配置される縁板は視認されない。
【００１８】
このような構成とすることにより、乗員に視認される表示領域の大きさ、すなわち化粧板の開口窓の大きさを、表示器の実際の平面形状とほぼ等しくすることができる。したがって、車両用表示装置において、表示器を他の表示手段、たとえば指針計器と隣接して配置したときに、指針計器の表示意匠（目盛や数字等）と表示器の表示領域、すなわち化粧板の開口窓とを十分接近させることができるので、表示用スペースを有効に利用でき且つ車両への搭載性に優れる車両用表示装置を実現することができる。
【００１９】
また、運転者が姿勢を変化させたとき、あるいは車外の状況確認のために頭を動かしたとき等においては、化粧板の開口窓を見る運転者の視線が変化して、表示器の通常見える表示領域の外側が見えることになる。このような場合、本発明の請求項２に記載の車両用表示装置では、縁板が視認され、その背後の電極等は視認されない。すなわち、縁板を配置することにより、運転者の姿勢が変化しても、表示器の電極等を常に運転者の視線から遮ることができるので、車両用表示装置の見映えを向上させることができる。
【００２０】
本発明の請求項３に記載の車両用表示装置は、表示器は指針計器の外側に配置される構成としている。
【００２１】
この場合、指針計器と表示器を互いに相手の機能を妨げないような位置関係を維持しつつ、指針計器の表示意匠（目盛や数字等）と表示器の表示領域、すなわち化粧板の開口窓とを十分接近させることができるので、表示用スペースを有効に利用でき且つ車両への搭載性に優れる車両用表示装置を実現することができる。
【００２２】
本発明の請求項４に記載の車両用表示装置は、表示器は指針計器の内側且つ指針計器が備える指針の回転範囲外に配置される構成としている。
【００２３】
この場合、指針計器と表示器を互いに相手の機能を妨げないような位置関係を維持しつつ、指針計器の表示意匠（目盛や数字等）の内側に表示器を配置することできるので、車両用表示装置のデザイン設計自由度を向上することができる。また、表示用スペースを有効に利用でき且つ車両への搭載性に優れる車両用表示装置を実現することができる。
【００２４】
本発明の請求項５に記載の車両用表示装置は、表示器は液晶表示器である構成としている。
【００２５】
液晶表示器は、その画面に表示される表示意匠の選択自由度が広く、また、複数の情報を同時あるいは順番に表示することが可能である。
【００２６】
したがって、表示スペースの有効利用を図りつつ、視認性に優れ且つ斬新な見映えの車両用表示装置を提供することができる。
【発明を実施するための最良の形態】
【００２７】
以下、本発明による車両用表示装置を、自動車に搭載されるコンビネーションメータ１に適用した場合を例に図面に基づいて説明する。
【００２８】
（第１実施形態）
図１は、本発明の第１実施形態によるコンビネーションメータ１の正面図である。なお、図１において、液晶パネル２の表示画面２１は、実際の大きさではなく運転者が視認するときの大きさ、すなわち拡大された虚像の大きさで示している。
【００２９】
図２は、本発明の第１実施形態によるコンビネーションメータ１の断面図であり、図1中のＩＩ−ＩＩ線断面図である。図２において、右側が運転席側であり、コンビネーションメータ１は、右方から視認される。
【００３０】
図３は、本発明の第１実施形態によるコンビネーションメータ１の断面図であり、図1中のＩＩＩ−ＩＩＩ線断面図である。図３において、右側が運転席側であり、コンビネーションメータ１は、右方から視認される。
【００３１】
図４は、図１中のＩＶ部拡大図である。
【００３２】
図５は、本発明の第１実施形態によるコンビネーションメータ１の電気回路構成を説明する模式図である。
【００３３】
コンビネーションメータ１は、自動車の運転席前方の運転者から視認可能な位置に配設され、自動車に関する各種情報を表示するものである。本発明の第１実施形態によるコンビネーションメータ１においては、図１に示すように、当該自動車の走行速度を指示する速度計Ａ、当該自動車の累積走行距離を示す距離計Ｂおよび当該自動車のエンジン回転数を指示するタコメータＣを備えている。ここで、速度計ＡおよびタコメータＣは、図１に示すように、指針計器として形成され、一方、距離計Ｂは、表示器である液晶パネル９を用いたいわゆるデジタルメータとして形成されている。
【００３４】
先ず、指針計器である速度計Ａの構成について説明する。なお、もう一つの指針計器であるタコメータＣの構成も速度計Ａと同様であるため、タコメータＣについては説明を省略する。
【００３５】
速度計Ａは、指針６を備え、その回動角度により速度を指示するものであり、この指針６の回動位置を運転者に視認させるための文字盤２を備えている。
【００３６】
文字盤２は、透光性材質、たとえば透明なポリカーボネート樹脂等の薄板から形成されている。また、文字盤２の表面２ａには、図１に示すように、表示意匠である目盛２ｄ、数字２ｅおよび文字２ｆが形成されている。目盛２ｄおよび数字２ｅは、後述する指針６とともに当該自動車の走行速度を指示するためのものであり、図１に示すように、それぞれ円弧上且つ指針軸５ａと同心上に配置されている。目盛２ｄ、数字２ｅおよび文字２ｆは、文字盤２の表面２ａ（図２において左側の面）あるいは裏面２ｂ（図２において右側の面）に印刷あるいはホットスタンプ等を施すことにより形成されている。すなわち、目盛２ｄ、数字２ｅおよび文字２ｆ以外の部分に不透光性着色層あるいは半透光性着色層を設けると共に、数字２１を透明なままとする、あるいは半透光性着色層を設ける等の処理を施してある。本発明の第１実施形態によるコンビネーションメータ１においては、目盛２ｄ、数字２ｅおよび文字２ｆは半透光性の黄色に、目盛２ｄ、数字２ｅおよび文字２ｆ以外の部分は半透光性の濃青色にそれぞれ着色されている。したがって、後述する、文字盤２の裏側に配置される光源である発光ダイオード３が点灯されると、それが発する光により文字盤２は透過照明されて、濃青色の背景中に目盛２ｄ、数字２ｅおよび文字２ｆが黄色で発光表示される。
【００３７】
また、文字盤２には、図２に示すように、貫通孔２ｃが設けられている。この貫通孔２ｃは、文字盤２の裏側（図２において右側）に配設される回動内機であるムーブメント５の指針軸５ａを文字盤２の表側（図２において左側）に延出させるためのものである。
【００３８】
文字盤２の裏側（図２において右側）には、図２に示すように、プリント基板８が配置されている。プリント基板８は、たとえばガラスエポキシ基板等からなり、コンビネーションメータ１の電気回路部を形成している。
【００３９】
プリント基板８には、図２に示すように、文字盤２を透過照明するための光源である発光ダイオード３および後述する指針６を発光表示させるための光源である発光ダイオード７が実装されている。なお、本発明の第１実施形態によるコンビネーションメータ１においては、両発光ダイオード３、７として、白色発光ダイオードが用いられている。
【００４０】
また、プリント基板８には、ムーブメント５が実装されている。ムーブメント５は、ステッピングモータ、あるいは交差コイル式回転機等の電気アクチュエータからなり、外部からの電気信号（本発明の第１実施形態によるコンビネーションメータ１の速度計Ａにおいては自動車の速度信号、タコメータＣにおいてはエンジン回転信号）に対応した角度だけ指針軸５ａを回動させるものである。ムーブメント５の指針軸５ａは、文字盤２の貫通孔２ｃを通して外方（図２において右方向）へ延出し、その先端には指針６が固定されている。
【００４１】
指針６は、透光性材料、たとえばアクリル樹脂等により形成され、プリント基板８上に実装される発光ダイオード７が発する光により発光表示される。また、指針６には、図２に示すように、指針６の発光ダイオード７に対向する部分およびその近傍を覆う遮光キャップ２３が取り付けられている。遮光キャップ２３は、遮光性を有する材質、たとえば黒色の樹脂材料等から形成され、発光ダイオード７からの光が、直接視認者の眼に入射して視認者が眩惑されることを防止している。
【００４２】
また、プリント基板８には、両発光ダイオード３、７の点灯・消灯制御およびムーブメント５の駆動制御を行なうコントローラ１８が実装されている。コントローラ１８は、たとえばマイクロコンピュータ等から構成されている。なお、コントローラ１８は、後述する液晶パネル９の駆動制御、および液晶パネル９のバックライトである発光ダイオード１０の点灯・消灯制御も行っている。
【００４３】
文字板２とプリント基板８との間には、図２に示すように、発光ダイオード３が発する光を文字板２に向けて反射するリフレクタ４が配置されている。リフレクタ４は、発光ダイオード３が発する光のうち、文字板２以外の方向に進む光を文字板２へ向けて反射するので、発光ダイオード３が発する光を文字板２の照明に効率良く利用できる。このため、リフレクタ４の外形形状は、文字板２上の全ての目盛２ｄ、数字２ｅおよび文字２ｆを完全に覆うように形成されている。なお、本発明の第１実施形態によるコンビネーションメータ１においては、リフレクタ４は、後述するケーシング１６と一体的に形成されている。
【００４４】
以上説明した、文字盤２、プリント基板８等は、図２に示すように、樹脂材料から成形されるケーシング１６内に収容保持されている。ケーシング１６は、たとえば樹脂材料から形成されている。
【００４５】
また、文字盤２の表側には、図２に示すように、化粧板である略枠状の見返し板１２が装着されている。見返し板１２は、たとえば樹脂材料から形成されている。見返し板１２には、文字板２上の目盛２ｄおよび数字２ｅが成す円弧と略同心上の開口孔１２ｂが設けられており、文字板２は、この開口孔１２ｂを介して視認される。これにより、見返し板１２の開口孔１２ｂが、速度計Ａの外形形状として視認される。本発明の第１実施形態によるコンビネーションメータ１の見返し板１２の場合、開口孔１２ｂは、速度計Ａ用とタコメータＣ用の２つが設けられている。これら２つの開口孔１２ｂの間には、図１に示すように、後述する距離計Ｂを視認させるための開口窓である窓部１２ａが設けられている。また、見返し板１２の先端部（図２において、左端）には透明カバー１７が装着されている。透明カバー１７は、透明な樹脂の薄板あるいはガラス等から形成されている。見返し板１２および透明カバー１７は、コンビネーションメータ１の見映えを整えると同時に、コンビネーションメータ１内部への埃、水分等の侵入を防止している。
【００４６】
次に、距離計Ｂの構成について説明する。
【００４７】
距離計Ｂは、大きくは、図３に示すように、化粧板である見返し板１２の背後（図３において右側）に見返し板１２の開口窓である窓部１２ａに臨んで配置された表示器である液晶パネル９と、液晶パネル９の前面側である視認側（図３において左側）に配置された工学的拡大手段としてのフレネルレンズ１３と、液晶パネル９とフレネルレンズ１３との間に配置された縁板であるフレーム１４とから構成されている。そして、視認者、たとえば運転者は、液晶パネル９の表示画面９ａを、フレネルレンズ１３により拡大された虚像として見返し板１２の窓部１２ａを通して視認する。以下に、距離計Ｂの構成について詳細に説明する。
【００４８】
液晶パネル９は、その平面形状が、図４に中に輪郭線９ｂで示すように、略長方形をなして形成され、電圧を印加されて画像を形成する部位である表示領域としての表示画面９１を備えている。表示画面９１は、その平面形状は、図４中に輪郭線９ｂで示すように、液晶パネル９の輪郭線９ｂの内側に長方形に形成されている。液晶パネル９の表示画面９１の外側部分は、表示画面９１を構成している多数のセグメント（図示せず）に個別に電圧を印加するための電極（図示せず）を配置するスペースとなっている。
【００４９】
ここで、本発明の第１実施形態によるコンビネーションメータ１において、液晶パネル９は、図４に示すように、その外形形状である輪郭線９ｂと、速度計Ａの外縁を成すリフレクタ４の輪郭線４１およびタコメータＣの外縁を成すリフレクタ４の輪郭線４１との間に隙間が形成されるように配置されている。
【００５０】
見返し板１２には、図３に示すように、液晶パネル９の表示画面９ａに臨んで窓部１２ａが設けられている。窓部１２ａは、図１に示すように、速度計Ａ用の開口孔１２ｂとタコメータＣ用の開口孔１２ｂの間に両者に近接して形成されている。
【００５１】
液晶パネル９の前面側（図３の左側）には、図３に示すように、光学的拡大手段であるフレネルレンズ１３が配置されている。フレネルレンズ１３は、たとえば、無色透明な樹脂材料、あるいはガラスから形成され、見返し板１２の窓部１２ａに密着させて固定されている。
【００５２】
液晶パネル９とフレネルレンズ１３の間には、図３に示すように、開口部１４ａを有する縁板としてのフレーム１４が配置されている。フレーム１４の液晶パネル９側端部は表示画面９１に密着するとともに、フレーム１４のフレネルレンズ１３側端部はフレネルレンズ１３に密着している。開口部１４ａの輪郭線１４ｂは、図４に示すように、表示画面９１の輪郭線９ａよりも内側に位置している。フレーム１４は、たとえば樹脂材料から形成されている。
【００５３】
液晶パネル９の背後（図３において右側）には、液晶パネル９を透過照明するバックライトとしての、発光ダイオード１０および光拡散板１１が配置されている。光拡散板１１は、たとえば無色透明のポリカーボネート樹脂等から略板状に形成され、液晶パネル９の表示画面９１の全域が均一な明るさで表示されるように、発光ダイオード１０が発する光を導いている。この発光ダイオード１０は、図３に示すように、プリント基板８に実装されている。また、液晶パネル９の各電極（図示せず）も、同様にプリント基板８に実装されている。また、液晶パネル９および光拡散板１１は、樹脂製の支持部材１５を介してプリント基板８上に支持されている。
【００５４】
次に、以上説明した、本発明の第１実施形態によるコンビネーションメータ１の電気回路構成について、図５に基づいて説明する。
【００５５】
図５の電気回路構成図に示すように、コントローラ１８には、バッテリ２０から電力が常時供給されている。また、コントローラ１８には、イグニッションスイッチ１９が、その作動状態（ＯＮまたはＯＦＦ）を検出可能に接続されている。
【００５６】
また、コントローラ１８には、当該自動車の走行速度を検出する速度センサ２１、当該自動車のエンジン回転数を検出する回転センサ２２が、各検出信号を入力可能に接続されている。なお、速度センサ２１は、たとえば走行用の駆動輪に動力を伝達するプロペラシャフト（図示せず）の回転数を検出するもので、その出力信号は、走行速度の算出のほかに、走行距離の算出にも用いられている。
【００５７】
また、コントローラ１８には、速度計ＡおよびタコメータＣとしてのムーブメント５、発光ダイオード３および発光ダイオード７、距離計Ｂの発光ダイオード１０が接続されている。
【００５８】
運転者の操作によりイグニッションスイッチ１９がＯＮ状態になると、コントローラ１８はそれを検出して、コンビネーションメータ１の作動を開始する。すなわち、発光ダイオード３、７が点灯されて、速度計ＡおよびタコメータＣの文字板２および指針６が発光ダイオード表示され、速度センサ２１および回転センサ２２からの検出信号に基づき各ムーブメント５が駆動されて、走行速度およびエンジン回転速度が指針６により指示される。同時に、発光ダイオード１０が点灯されるとともに、液晶パネル９が駆動されて累積走行距離が表示画面９１に数字で表示される。
【００５９】
次に、以上のように構成した、本発明の第１実施形態によるコンビネーションメータ１における距離計Ｂの視認状態および作用効果について、図４に基づいて説明する。
【００６０】
本発明の第１実施形態によるコンビネーションメータ１の距離計を運転者が見ると、図４に示すように、液晶パネル９の表示画面９１中の被視認範囲９２が、見返し板１２の窓部１２ａとほぼ等しい大きさに拡大されて視認される。
【００６１】
本発明の第１実施形態によるコンビネーションメータ１は、速度計ＡとタコメータＣとの間のスペースに、速度計ＡおよびタコメータＣと干渉しないような小型の液晶パネル９を配置するとともに、その表示画面９１を拡大して表示している。
【００６２】
このような構成とすることにより、速度計ＡとタコメータＣとの間のスペースを情報表示のために有効に活用することができる。すなわち、表示用スペースを無駄なく有効に利用することのできるコンビネーションメータ１を実現することができる。さらに、表示用スペースの利用効率を高めることにより、必要な情報を表示しつつコンビネーションメータ１の体格を小型化することが可能となるので、自動車への搭載性に優れるコンビネーションメータ１を提供することができる。
【００６３】
また、本発明の第１実施形態によるコンビネーションメータ１においては、フレーム１４の開口部１４ａ形状を、運転者が距離計Ｂを見たときに、表示画面９１中の被視認範囲９２が開口部１４ａよりも内側となるように、言い換えると開口部１４ａは被視認範囲９２の外側となるように設定している。したがって、フレーム１４の開口部１４ａは、運転者から通常は視認されない。
【００６４】
これにより、窓部１２ａを介して液晶パネル９の表示画面９１のみを視認させることができるので、コンビネーションメータ１の見映えを良好なものとすることができる。
【００６５】
また、フレーム１４の開口部１４ａの輪郭線１４ｂは、液晶パネル９の表示画面９１の輪郭線９ａよりも内側にあるように設定されている。すなわち、液晶パネル９の表示画面９１の外側部分、つまり多数の電極（図示せず）が配置されている部分は、フレーム１４に覆われている。
【００６６】
これにより、運転者の姿勢が変化して距離計Ｂを見る視認角度が変化した場合においても、表示画面９１の外側部分、すなわち多数の電極が配置された部分をフレーム１４により運転者の視線から遮ることができるので、コンビネーションメータ１の見映えを良好なものとすることができる。
【００６７】
（第２実施形態）
図６に、本発明の第２実施形態によるコンビネーションメータ１の正面図を示す。
【００６８】
本発明の第２実施形態によるコンビネーションメータ１においては、本発明の第１実施形態によるコンビネーションメータ１に対して、液晶パネル９の設置場所を変更している。
【００６９】
すなわち、２つの指針計器の外側、つまり速度計ＡとタコメータＣの間から、図６に示すように、速度計Ａの内側に変更している。これに伴い、液晶パネル９の表示画面９１を視認するための窓部が形成される部材も、見返し板１２から文字板２に変更されている。
【００７０】
本発明の第２実施形態によるコンビネーションメータ１においては、液晶パネル９は、文字板２の背後且つ指針６の回動範囲外の場所に設置可能な小型のものが用いられ、その表示画面９１をフレネルレンズ１３で拡大した虚像として運転者に視認させている。
【００７１】
従来は、速度計Ａ等の指針計器の内側且つ指針６の回動範囲外の場所は、ムーブメント５との干渉を避ける必要があることから、表示スペースとして活用することが困難であったが、上述したような構成とすることにより、そのような部位も表示スペースとして利用することができるので、表示用スペースを無駄なく有効に利用することのできるコンビネーションメータ１を実現することができる。
【００７２】
なお、以上説明した、本発明の第１実施形態および第２実施形態によるコンビネーションメータ１においては、光学的拡大手段としてフレネルレンズ１３を用いているが、他の種類の光学的拡大手段、たとえば凸レンズ等に置き換えてもよい。
【００７３】
また、以上説明した、本発明の第１実施形態および第２実施形態によるコンビネーションメータ１においては、指針計器として、速度計ＡおよびタコメータＣを用いているが、この組み合わせに限定する必要は無く、これらの少なくとも一つを他の指針計器、たとえば、燃料計、水温計、バッテリ電圧計、時計等に置き換えたり、追加したりしてもよい。
【００７４】
また、以上説明した、本発明の第１実施形態および第２実施形態によるコンビネーションメータ１においては、液晶パネル９上に表示される情報を、距離計Ｂとしているが、これに限定する必要はなく、他の情報、たとえば車室内温度、外気温度等に置き換える、あるいは追加する等してもよい。
【００７５】
また、以上説明した、本発明の第１実施形態および第２実施形態によるコンビネーションメータ１においては、指針計器を２個備えているが、指針計器を１個としてもよい。
【００７６】
また、以上説明した、本発明の第１、第２実施形態によるコンビネーションメータ１においては、光源として発光ダイオード３、７、１０を用いているが、これらの少なくとも一つを他の種類の光源、たとえば電球あるいは放電灯等に置き換えても良い。
【００７７】
また、以上説明した、本発明の第１、第２実施形態によるコンビネーションメータ１においては、表示器として液晶パネル９を用いているが、これに限る必要は無く、他の種類の表示器、たとえばＥＬパネル、蛍光表示管等に置き換えてもよい。なお、液晶パネル９を自発光式の表示器に置き換える場合は、バックライトである発光ダイオード１０および光拡散板１１は不要である。
【図面の簡単な説明】
【００７８】
【図１】本発明の第１実施形態によるコンビネーションメータ１の正面図である。
【図２】本発明の第１実施形態によるコンビネーションメータ１の断面図であり、図1中のＩＩ−ＩＩ線断面図である。
【図３】本発明の第１実施形態によるコンビネーションメータ１の断面図であり、図1中のＩＩＩ−ＩＩＩ線断面図である。
【図４】図1中のＩＶ部拡大図である。
【図５】本発明の第１実施形態によるコンビネーションメータ１の電気回路構成を説明する模式図である。
【図６】本発明の第２実施形態によるコンビネーションメータ１の正面図である。
【符号の説明】
【００７９】
１    コンビネーションメータ（車両用表示装置）
２    文字盤（指針計器）
２ａ    表面
２ｂ    裏面
２ｃ    貫通孔
２ｄ    目盛
２ｅ    数字
２ｆ    文字
３    発光ダイオード
４    リフレクタ
４１    輪郭線
５    ムーブメント（指針計器）
５ａ    指針軸（指針計器）
６    指針（指針計器）
７    発光ダイオード
８    プリント基板
９    液晶パネル（表示器）
９１    表示画面（表示領域）
９２    被視認範囲
９ａ    輪郭線（外縁）
９ｂ    輪郭線
１０    発光ダイオード
１１    光拡散板
１２    見返し板（化粧板）
１２ａ    窓部（開口窓）
１３    フレネルレンズ（光学的拡大手段）
１４    縁板
１４ａ    開口部
１４ｂ    輪郭線（外縁）
１５    支持部材
１６    ケーシング
１７    透明カバー
１８    コントローラ
１９    イグニッションスイッチ
２０    バッテリ
２１    速度センサ
２２    回転センサ
２３    遮光キャップ
Ａ    速度計（指針計器）
Ｂ    回転計（指針計器）
Ｃ    距離計
【図１】
2006003273.tif 000003
【図２】
2006003273.tif 000004
【図３】
2006003273.tif 000005
【図４】
2006003273.tif 000006
【図５】
2006003273.tif 000007
【図６】
2006003273.tif 000008